(57)【要約】      （修正有）【課題】飲食店等において複数隣接されるテーブルの間を簡易に仕切る衝立の取付構造を提供する。【解決手段】平面方形状のテーブル面板３を上部に備え、テーブル面板３の下方にはテーブル面板３を床面２上に支持するための脚部１Ａを備えてなるテーブル１の少なくとも一対を、テーブル面板３の一側辺部同士を平行に、かつ突き合わせるようにして隣接させ、床面２上に少なくとも一対のテーブル１を整列させる状態で、突き合わせるようにしてなる一対のテーブル１のうち、いずれか一方のテーブル１のテーブル面板３の一側辺部に取付け、一対のテーブル１の間において各テーブル面板３上の空間を仕切り、隣接するテーブル１の各テーブル面板３に対し、略直交する状態で上方に向けて立設させる衝立４を一対のテーブル１間に配設するものである。【選択図】図１
0003204638.tif 000002
【実用新案登録請求の範囲】
【請求項１】
平面方形状のテーブル面板を上部に備え、テーブル面板の下方には上記テーブル面板を床面上に支持するための脚部備えてなるテーブルの少なくとも一対を、テーブル面板の一側辺部同士を平行に、かつ突き合わせるようにして隣接させ、床面上に少なくとも一対のテーブルを整列させる状態で、該突き合わせるようにしてなる一対のテーブルのうち、いずれか一方のテーブルのテーブル面板の一側辺部に取付け、一対のテーブルの間において各テーブル面板上の空間を仕切り、隣接するテーブルの各テーブル面板に対し、略直交する状態で上方に向けて立設させる衝立を一対のテーブル間に配設することとした衝立の取付構造にあって、
一対のテーブル間に配設する衝立は、各テーブル面板間に立設されて、その下縁部を取付けるいずれかのテーブルのテーブル面板の一側辺部に対して支持させるため、下縁部の長手方向略中央部に係合金具を取付けることとし、
他方、上記衝立の下縁部を支持し、取付けるテーブルのテーブル面板の一側辺部の長手方向略中央部には、上記係合金具を係合可能とする被係合金具を取付けることとし、
係合金具あるいは被係合金具のいずれかには、取付ける衝立の下縁部を取付けられるテーブルのテーブル面板の一側辺部に突き合わせるように、テーブル面板に沿う方向に近接して係入し、全体凸状で、先頭部を基端部周部の外径に比べて大きな外径としてなる突縁部を備えた凸状係合体を、テーブル面板の一側辺部の長手方向あるいは衝立の下縁部の長手方向において少なくとも一対備えることとし、
他方、前記凸状係合体を備える係合金具あるいは被係合金具に対する他方側の係合金具あるいは被係合金具には、取付ける衝立の下縁部を取付けられるテーブルのテーブル面板の一側辺部に突き合わせるようにテーブル面板に沿う方向に近接し、係入し、前記少なくとも一対備える各凸状係合体をそれぞれ係合する係合孔が備えられ、該係合孔は近接する凸状係合体の突縁部を含む外径部分の全体を係入可能とする係入開口と、凸状係合体の全体を係入した後、衝立をその自重により取付けるテーブル面板の一側辺部に対し、下方にスライドさせる状態において、対向し、係入する凸状係合体の突縁部の外径に比べてその外径を小径としてなる基端部周部のみを係合可能とし、前記係入開口に連なる係合溝を備えること、
を特徴とする衝立の取付構造。
【請求項２】
前記係合金具と被係合金具のそれぞれは、磁石に吸着可能な金属材料により形成され、前記係合金具あるいは被係合金具のいずれか一方には、取付ける衝立の下縁部を取付けられるテーブルのテーブル面板の一側辺部に突き合わせるようにテーブル面板に沿う方向に近接する状態において、係合孔に対し凸状係合体の突縁部を含む外径部分の全体を係入開口に吸引して吸着し、係入・位置決め可能とするマグネットを配設することとしてなる請求項１に記載の衝立の取付構造。
【請求項３】
係合金具あるいは被係合金具におけるマグネットの配設位置に対向し、前記マグネットが配設される係合金具あるいは被係合金具に対する他方の係合金具あるいは被係合金具には、各マグネットが対向する係合金具あるいは被係合金具に吸着した後に、衝立をその自重により取付けるテーブル面板の一側辺部に対し、下方にスライドさせ、対向し、係入する凸状係合体の突縁部の外径に比べてその外径を小径としてなる基端部周部のみを係入開口に連なる係合溝に係合する状態において、マグネットに対し吸着状態にあった係合金具あるいは被係合金具の吸着状態を解除する切欠部を形成してなる請求項２に記載の衝立の取付構造。
【請求項４】
前記係合金具及び被係合金具には、衝立をその自重により取付けるテーブル面板の一側辺部に対し、下方にスライドさせ、対向し、係入する凸状係合体の突縁部の外径に比べてその外径を小径としてなる基端部周部のみを係入開口に連なる係合溝に係合する状態において、その係合状態を保持するためのロック手段を備えることとしてなる請求項１から請求項３のいずれか１項に記載の衝立の取付構造。
【請求項５】
前記ロック手段は、係合金具あるいは被係合金具の一方に備えられ、対向する一方の金具に向けてロックピンを進退動可能としてなるスライドロック機構からなり、これに対し前記スライドロック機構が備えられる係合金具あるいは被係合金具に対する他方の係合金具あるいは被係合金具には、対向するスライドロック機構のロックピンを進退動可能に係合可能とするロック孔を備えることとしてなる請求項４項に記載の衝立の取付構造。
【請求項６】
前記隣接するテーブルの各テーブル面板に対し、略直交する状態で上方に向けて立設させる衝立は、隣接するテーブル間の下方にも向けても延設し、隣接配置される各テーブルに向けて座る各人の膝部同士の干渉状態を解消可能とする延設部を備えることとしてなる請求項１から請求項５のいずれか１項に記載の衝立の取付構造。
【考案の詳細な説明】
【技術分野】
【０００１】
本発明は、例えば飲食店、オフィスなどにおいて使用され、複数、隣接配置されるテーブル間において、各テーブルのテーブル面上の空間を仕切るための衝立をテーブルに取付ける衝立の取付構造に関する。
【背景技術】
【０００２】
一般にオフィスなどにおいて、複数隣接されるデスクやテーブル間においては、その上面の空間を仕切るため、衝立が配設されることがある。こうした衝立は、下記特許文献１に示すように、デスクの一側辺部に取付けられ、該側辺部より上方に立上るようにデスクに一体に取付けられ、該取付けは金具等を用いて行われ、原則として頻繁に着脱することを予定しているものではなかった。
【０００３】
これに対し、飲食店などにおいて、複数配列されるテーブル間に配設される衝立は、下記特許文献２に示すように、下方にキャスタを備え、屏風のようにテーブルとテーブル間に移動させて使用するものがほとんどとされ、例えば二人掛け向かい合わせのテーブル２つを隣接して４人掛けで使用しているテーブルを、飲食店の来客状況により、二人掛け向かい合わせのテーブル２つする場合、テーブルとテーブルの間にこうしたキャスタ付きの衝立を移動し、各テーブル間のプライバシーを保つようにしていた。
【先行技術文献】
【特許文献】
【０００４】
【特許文献１】特開平６−３０４０２４号公報
【特許文献２】意匠登録第１１６０００４号公報
【考案の概要】
【考案が解決しようとする課題】
【０００５】
しかしながら、特許文献２に記載されるような衝立は、全体が大サイズで嵩張り、保管性、取扱い性の面で難点を有するものとされていた。またキャスタで床面上を移動させるために壊れやすく、飲食店等において、複数隣接されるテーブルの間を簡易に仕切ることが可能な衝立の提供が望まれていた。
【０００６】
本考案は、こうした従来の状況に着目してなされたものであり、飲食店等において複数隣接されるテーブルの間を簡易に仕切ることを目的としたものである。
【課題を解決するための手段】
【０００７】
上記課題を解決するために、本考案の請求項１に係る衝立の取付構造は、平面方形状のテーブル面板を上部に備え、テーブル面板の下方には上記テーブル面板を床面上に支持するための脚部備えてなるテーブルの少なくとも一対を、テーブル面板の一側辺部同士を平行に、かつ突き合わせるようにして隣接させ、床面上に少なくとも一対のテーブルを整列させる状態で、該突き合わせるようにしてなる一対のテーブルのうち、いずれか一方のテーブルのテーブル面板の一側辺部に取付け、一対のテーブルの間において各テーブル面板上の空間を仕切り、隣接するテーブルの各テーブル面板に対し、略直交する状態で上方に向けて立設させる衝立を一対のテーブル間に配設することとした衝立の取付構造にあって、一対のテーブル間に配設する衝立は、各テーブル面板間に立設されて、その下縁部を取付けるいずれかのテーブルのテーブル面板の一側辺部に対して支持させるため、下縁部の長手方向略中央部に係合金具を取付けることとし、他方、上記衝立の下縁部を支持し、取付けるテーブルのテーブル面板の一側辺部の長手方向略中央部には、上記係合金具を係合可能とする被係合金具を取付けることとし、係合金具あるいは被係合金具のいずれかには、取付ける衝立の下縁部を取付けられるテーブルのテーブル面板の一側辺部に突き合わせるように、テーブル面板に沿う方向に近接して係入し、全体凸状で、先頭部を基端部周部の外径に比べて大きな外径としてなる突縁部を備えた凸状係合体を、テーブル面板の一側辺部の長手方向あるいは衝立の下縁部の長手方向において少なくとも一対備えることとし、他方、前記凸状係合体を備える係合金具あるいは被係合金具に対する他方側の係合金具あるいは被係合金具には、取付ける衝立の下縁部を取付けられるテーブルのテーブル面板の一側辺部に突き合わせるようにテーブル面板に沿う方向に近接し、係入し、前記少なくとも一対備える各凸状係合体をそれぞれ係合する係合孔が備えられ、該係合孔は近接する凸状係合体の突縁部を含む外径部分の全体を係入可能とする係入開口と、凸状係合体の全体を係入した後、衝立をその自重により取付けるテーブル面板の一側辺部に対し、下方にスライドさせる状態において、対向し、係入する凸状係合体の突縁部の外径に比べてその外径を小径としてなる基端部周部のみを係合可能とし、前記係入開口に連なる係合溝を備えることとしたものである。
【０００８】
本発明の請求項２は、前記係合金具と被係合金具のそれぞれを、磁石に吸着可能な金属材料により形成し、前記係合金具あるいは被係合金具のいずれか一方には、取付ける衝立の下縁部を取付けられるテーブルのテーブル面板の一側辺部に突き合わせるようにテーブル面板に沿う方向に近接する状態において、係合孔に対し凸状係合体の突縁部を含む外径部分の全体を係入開口に吸引して吸着し、係入・位置決め可能とするマグネットを配設することとしたものである。
【０００９】
本発明の請求項３は、係合金具あるいは被係合金具におけるマグネットの配設位置に対向し、前記マグネットが配設される係合金具あるいは被係合金具に対する他方の係合金具あるいは被係合金具には、各マグネットが対向する係合金具あるいは被係合金具に吸着した後に、衝立をその自重により取付けるテーブル面板の一側辺部に対し、下方にスライドさせ、対向し、係入する凸状係合体の突縁部の外径に比べてその外径を小径としてなる基端部周部のみを係入開口に連なる係合溝に係合する状態において、マグネットに対し吸着状態にあった係合金具あるいは被係合金具の吸着状態を解除する切欠部を形成したものである。
【００１０】
本発明の請求項４は、前記係合金具及び被係合金具に、衝立をその自重により取付けるテーブル面板の一側辺部に対し、下方にスライドさせ、対向し、係入する凸状係合体の突縁部の外径に比べてその外径を小径としてなる基端部周部のみを係入開口に連なる係合溝に係合する状態において、その係合状態を保持するためのロック手段を備えることとしたものである。
【００１１】
本発明の請求項５は、前記ロック手段を、係合金具あるいは被係合金具の一方に備えられ、対向する一方の金具に向けてロックピンを進退動可能としてなるスライドロック機構とし、これに対し前記スライドロック機構が備えられる係合金具あるいは被係合金具に対する他方の係合金具あるいは被係合金具には、対向するスライドロック機構のロックピンを進退動可能に係合可能とするロック孔を備えることとしたものである。
【００１２】
本発明の請求項６は、前記隣接するテーブルの各テーブル面板に対し、略直交する状態で上方に向けて立設させる衝立を、隣接するテーブル間の下方にも向けても延設し、隣接配置される各テーブルに向けて座る各人の膝部同士の干渉状態を解消可能とする延設部を備えることとしたものである。
【考案の効果】
【００１３】
本発明によると、飲食店等において複数隣接されるテーブルの間を簡易に仕切ることを目的とする。
【図面の簡単な説明】
【００１４】
【図１】本考案の実施形態に係る衝立により、仕切られた隣接状態にあるテーブルを示す斜視図である。
【図２】隣接するテーブル間に衝立を配設する状態を示す斜視図である。
【図３】図２に示す状態の衝立の、裏面側を示す斜視図である。
【図４】衝立の下縁部の長手方向略中央部に取付けられる係合金具とテーブルのテーブル面の側辺部の長手方向略中央部に取付けられる被係合金具の各構造を示す斜視図である。
【図５】被係合金具に配設されるマグネットに金属材料で形成される係合金具を近接し、吸着させる状態を示す図４のＶ−Ｖ線に沿う断面図である。
【図６】マグネットに吸着された係合金具を備えた衝立をその自重により下方にスライドさせる状態を示す図5と同様な断面図である。
【図７】係合金具に取付けられる凸状係合体を、被係合金具の係合孔に係入する状態を示す図４のＶII−ＶII線に沿う断面図である。
【図８】係合金具に取付けられる凸状係合体を、被係合金具の係合孔に係入し、係合金具を備えた衝立をその自重により下方にスライドさせ、凸状係合体の基端部周部を係合溝に係合させた状態を示す断面図である。
【図９】図１のIＸ−IＸ線に沿い、ロック手段による係合金具あるいは被係合金具の係合ロック状態を示す断面図である。
【考案を実施するための形態】
【００１５】
以下、本考案の実施形態を図１から図９に基づいて説明する。図１から図９に示す実施形態は、本考案の一実施形態に係る衝立の取付構造を示すものである。一般にレストランや喫茶店においては、テーブル１を床面２上に複数配設して使用している（図２参照）。テーブル１は、平面方形状（長方形あるいは正方形）のテーブル面板３を上部に備え、テーブル面板３の下方には該テーブル面板３を床面２上の一定高さ位置に支持するための脚部１Ａが備えられる。こうして床面２上に配設されるテーブル１の複数は、隣接するテーブル１の少なくとも一対を、テーブル面板３の一側辺部同士を平行に、かつ突き合わせるようにして隣接させ、例えば図２に示すように、二人掛け向かい合わせのテーブル１の２つを隣接して４人掛けで使用することが可能とされる。
【００１６】
一方、隣接する２つのテーブル１を、別々に飲食店の来客者に使用させ、例えば二人掛け向かい合わせのテーブル１を２つ分離して使用させたい場合もある。このような場合、テーブル１とテーブル１との間にスペースをあけ、離間させる方法もあるが、店舗スペースの有効利用の点から隣接するテーブル１の間に衝立を配設し、テーブル１間のプライバシーを保持させることが有効とされる。
【００１７】
実施形態に係る衝立の取付構造は、床面２上に少なくとも一対のテーブル１を、テーブル面板３の一側辺部同士を突き合わせるように整列させ、該突き合わせるようにしてなる一対のテーブル１のうち、いずれか一方のテーブル１のテーブル面板３の一側辺部に衝立４を取付け、一対のテーブル１の間において各テーブル面板３上の空間を仕切り、隣接するテーブル１の各テーブル面板３に対し、略直交する状態で上方に向けて該衝立4を立設させることを可能にするものである。すなわち、こうすることで個々のテーブル１において、それぞれ椅子５を向かい合わせに対応させ、各テーブル１の上方空間を区切り、利用することが可能とされる（図１参照）。
【００１８】
図１ないし図３において、隣接するテーブル１間に配設される衝立４は、略長方形状の面材とされ、全体を木製パネル板あるいは合成樹脂板により形成している。衝立４には窓部４Ａが備えられ、該窓部４Ａには曇りガラス板が嵌合されている。衝立４は、下縁部の長手方向略中央部を凹状に切欠いて構成され、該切欠部分の両側に下方に延びる延設部６を備えてなる。一対のテーブル１間に配設する衝立４は、図３に示すように凹状の切欠部分に係合金具７を取付けることとしている。すなわち、係合金具７は、図１に示す各テーブル１のテーブル面板３間に立設されて、その下縁部を図２の上方側テーブル１のテーブル面板３の一側辺部（すなわち隣接するテーブル１のテーブル面板３の一側辺部と平行に、かつ突き合わさる部分）に対し、支持させるためのものとされる。
【００１９】
他方、上記衝立４の下縁部を支持し、取付けるテーブル１（図２の上方側テーブル１）のテーブル面板３の一側辺部の長手方向略中央部には、上記係合金具７を係合可能とする被係合金具８が取付けられる（図２参照）。係合金具７と被係合金具８のそれぞれは、全体をスチール等の磁石に吸着可能な材質で形成され、図４の拡大状態の斜視図に示すように、対応する衝立4あるいはテーブル面板３の一側辺部にそれぞれ取付けられるものとされる。
【００２０】
本実施形態において、係合金具７には、衝立４の下縁部を、取付けられるテーブル１のテーブル面板３の一側辺部に突き合わせるように、テーブル面板３に沿う方向（図４の矢印Ａ方向）に近接して係入し、全体凸状で、先頭部を基端部周部の外径（Ｄ１）に比べて大きな外径（Ｄ２）としてなる突縁部９を備えた凸状係合体１０を、衝立４の下縁部の長手方向において少なくとも一対備えることとしている。
【００２１】
他方、前記凸状係合体１０を備える係合金具７と係合可能な被係合金具８には、取付ける衝立４の下縁部を、取付けられるテーブル１のテーブル面板３の一側辺部に突き合わせるようにテーブル面板３に沿う方向（図４の矢印Ａ方向）に近接して係入するための係合孔１１が、前記各凸状係合体１０に対応して少なくとも一対備えられる。各係合孔１１には、上方側に長孔状の比較的大きな係入開口１２が、下方に前記に係入開口１２に連なる係合溝１３が備えられる。
【００２２】
被係合金具８に対する係合金具７の係合は、図４に示すように対向配置される両金具７，８のうち、係合金具７を被係合金具８に対し、図４の矢印Ａ方向に近接させるようにして行われる。この際、被係合金具８には、取付ける衝立４の下縁部の全体が、取付けられるテーブル１のテーブル面板３の一側辺部に突き合わさるように矢印Ａ方向に近接される状態下で、対応する係合孔１１に対し、凸状係合体１０の突縁部９を含む外径Ｄ２部分を含む全体が、係合孔１１の係入開口１２に位置決めされるように、対向状態にある係合金具７の各領域Ｂ（図４に示す係合金具７の金属領域）を対応して吸引可能とする一対のマグネット１４を配設するようにしている。すなわち、各マグネット１４は、衝立４の略中心を、取付けるテーブル１のテーブル面板３の一側辺部の略中央部に合わせ、衝立４の全体をテーブル面材３に突き合わせ、近接される状態（図５に示す状態）において、係合金具７の各領域Ｂを吸着して、対応する係合孔１１に対して凸状係合体１０がスムーズに係入・位置決めすることを可能とするものである。
【００２３】
こうして、被係合金具８の係合孔１１の係入開口１２に、近接された凸状係合体１０の突縁部９を含む外径Ｄ２の部分を含む全体が係入された状態において（図７に示す状態）、衝立４をその自重により取付けるテーブル１のテーブル面板３の一側辺部に対し、下方（図７の矢印Ｃ方向）にスライドさせる状態において、対向し、係入する凸状係合体１０の突縁部９の外径Ｄ２に比べて、その外径を小径Ｄ１としてなる基端部周部のみが、係入開口１２に連なる係合溝１３に係合されることとなる（図８に示す状態）。
【００２４】
この際、被係合金具８における各マグネット１４が係合金具７の各領域Ｂ（図４に示す係合金具７の金属領域）を吸着した状態（図６に示す状態）から、衝立４をその自重により取付けるテーブル１のテーブル面板３の一側辺部に対し下方（図６の矢印Ｃ方向）にスライドさせる状態において、マグネット１４が吸着していた係合金具７の各領域Ｂ（図４に示す係合金具７の金属領域）のそれぞれ下方に位置する切欠部２０（図４参照）へと離隔し、マグネット１４による係合金具７の領域Ｂの吸着状態を解除することが可能となる。
【００２５】
こうして、係合金具７が被係合金具８に対して係合され、衝立４をその自重により取付けるテーブル１のテーブル面板３の一側辺部に対して係合させた状態において、その係合状態を保持するため、係合金具７及び被係合金具８にはロック手段が備えられる。
【００２６】
実施形態において、ロック手段は、図９に示すように被係合金具８に備えられ、対向する係合状態にある係合金具７に向けてロックピン１５を進退動可能としてなるスライドロック機構１６とし、これに対し前記スライドロック機構１６が備えられる被係合金具８に対する他方の係合金具７には、対向するスライドロック機構１６のロックピン１５を進退動可能に係合可能とするロック孔１７とから構成される。
【００２７】
すなわち、実施形態に係るロック手段は、衝立４をその自重により取付けるテーブル１のテーブル面板３の一側辺部に対し、下方（図７の矢印Ｃ方向）にスライドさせ、凸状係合体１０の基端部周部が、係入開口１２に連なる係合溝１３に係合された様態（図８に示す状態）において、スライドロック機構１６のロックピン１５を図９で示すようにスライド操作片１８を持つようにして矢印Ｄ方向に２点鎖線に示す状態から実践に示す状態にスライドさせ、これによりロックピン１５の先端を係合金具７のロック孔１７に係合することが可能となり、係合金具７と被係合金具８の係合状態を保持することが可能となる。
【００２８】
こうして図１に示すように、例えば飲食店などにおいて、隣接する少なくとも一対のテーブル１の間において、各テーブル面板３上の空間を仕切り、隣接するテーブル１の各テーブル面板３に対し、略直交する状態で上方に向けて衝立４を立設させることが可能となり、各テーブル１間のプライバシーを保持し、飲食店等の空間アメニティを向上させることが可能となる。また実施形態に係る衝立４は、各テーブル面板３に対し下方に向け延設される延設部６も備えられる。この延設部６は、隣接配置される各テーブル１に向けて椅子５に座る各人の膝部同士の干渉状態を解消することが可能となり、こうした点でも飲食店等の空間アメニティを向上させることが可能となる。
【００２９】
こうして、隣接する一対のテーブル１の間に衝立４を立設させた状態において、再びテーブル１のテーブル面３の一辺部同士を突き合わせ、図１に示す状態から図２に示す状態に、例えば４人掛けテーブルとして利用したい場合は、前記ロック手段によるロック様態を解除し、係合金具７と被係合金具８の係合を解除して衝立４を対応するテーブル面３から取り外すことにより、容易に対応することが可能となる。すなわち、こうした衝立４の取付け・取り外し作業は、熟練を要することなく、容易に行うことが可能とされ、極めて操作性の良好な衝立の取付構造を提供することが可能となる。
【００３０】
上記実施形態においては、係合金具７において、全体凸状で、先頭部を基端部周部の外径（Ｄ１）に比べて大きな外径（Ｄ２）としてなる突縁部９を備えた凸状係合体１０を、衝立４の下縁部の長手方向において少なくとも一対備えることとし、一方被係合金具８においてテーブル面板３に沿う方向（図４の矢印Ａ方向）に近接して係入するための係合孔１１を備えることとしているが、これを逆にし、係合金具７において上記実施形態と同様な係合孔１１を備えることとし、一方被係合金具８において上記実施形態と同様な各凸状係合体１０を備えるように構成してもよい。この場合において、凸状係合体１０を係合する各係合孔１１は、下方側に長孔状の比較的大きな係入開口１２が形成され、上方に前記に係入開口１２に連なる係合溝１３が形成されることとなり、これにより係合孔１１の係入開口１２に、近接された凸状係合体１０の突縁部９を含む外径Ｄ２の部分を含む全体が係入され、衝立４をその自重により取付けるテーブル１のテーブル面板３の一側辺部に対し、下方にスライドさせる状態において、対向し、係入する凸状係合体１０の突縁部９の外径Ｄ２に比べて、その外径を小径Ｄ１としてなる基端部周部のみが、係入開口１２に連なる係合溝１３に係合されることとなる。
【産業上の利用可能性】
【００３１】
以上のように、本考案は、飲食店、オフィスなどで複数の隣接配置されるテーブル間において、簡単に衝立を立設配置することが可能となり、各テーブルのテーブル面上の空間を簡単かつ容易に仕切ることが可能となる。また衝立が不要となった場合には、再び衝立をテーブルから取り外すことが可能となり、例えばレストラン等においてテーブルを２人掛けとしたり、４人掛けにする場合などの作業を簡易に行うことが可能となり、飲食店、オフィスなどの空間利用を効率的に行うことが可能となる。
【符号の説明】
【００３２】
１              テーブル
１Ａ            脚部
２              床面
３              テーブル面板
４              衝立
４Ａ            窓部
５              椅子
６              延設部
７              係合金具
８              被係合金具
９              突縁部
１０            凸状係合体
１１            係合孔
１２            係入開口
１３            係合溝
１４            マグネット
１５            ロックピン
１６            スライドロック機構１６
１７            ロック孔
１８            作動片
２０            切欠部
【図１】
0003204638.tif 000003
【図２】
0003204638.tif 000004
【図３】
0003204638.tif 000005
【図４】
0003204638.tif 000006
【図５】
0003204638.tif 000007
【図６】
0003204638.tif 000008
【図７】
0003204638.tif 000009
【図８】
0003204638.tif 000010
【図９】
0003204638.tif 000011